(57)【要約】【課題】送信側での利便性向上を図ることが可能な画像形成システム、送信装置及び画像形成装置を提供する。【解決手段】画像形成システム１の送信装置３は、画像を記憶部付き画像形成媒体３３上に形成し、且つ、記憶用データを前記記憶部付き画像形成媒体の記憶部３９に書き込むことを指示する指示情報と、画像形成装置５が前記記憶用データを前記記憶部に書き込むことができない場合でも前記画像の形成を許可するかどうかの第１選択情報とを、前記画像形成装置に通知する通知部７を備える。【選択図】図４
2010109804.tif 000002
【特許請求の範囲】
【請求項１】
画像データを送信する送信装置と、
前記画像データを受信し、当該画像データに基づく画像を画像形成媒体上に形成する画像形成装置と、を備える画像形成システムであって、
前記送信装置は、前記画像を記憶部付き画像形成媒体上に形成し、且つ、記憶用データを前記記憶部付き画像形成媒体の記憶部に書き込むことを指示する指示情報と、前記画像形成装置が前記記憶用データを前記記憶部に書き込むことができない場合でも前記画像の形成を許可するかどうかの第１選択情報とを、前記画像形成装置に通知する通知部を備える画像形成システム。
【請求項２】
請求項１記載の画像形成システムであって、
前記画像形成装置は、前記第１選択情報が前記画像の形成を許可しない旨を示す場合に、前記画像の形成を制限する制限部を備える。
【請求項３】
請求項１または２に記載の画像形成システムであって、
前記送信装置は、前記記憶用データを前記画像形成装置に送信するデータ送信部を備え、
前記通知部は、前記画像形成装置が前記記憶用データを前記記憶部に書き込むことができない場合に、前記画像データ及び前記記憶用データの少なくとも一方を前記画像形成装置に破棄させるかどうかの第２選択情報を通知する構成である。
【請求項４】
請求項１〜３のいずれか一項に記載の画像形成システムであって、
前記画像形成装置が前記記憶用データを前記記憶部に書き込む機能を有する機種かどうかを判断し、当該機能を有しないと判断した場合には前記画像データの送信を禁止する送信制御部を備える。
【請求項５】
請求項１〜４のいずれか一項に記載の画像形成システムであって、
前記送信装置は、前記指示情報及び前記第１選択情報の少なくとも一方を、前記画像のページ単位で指定する指定部を備える。
【請求項６】
請求項１〜５のいずれか一項に記載の画像形成システムであって、
前記送信装置は、自己にセットされた原稿上に形成された画像を読み取って前記画像データを生成する画像読取部と、
前記原稿が記憶部を有するかどうかを判断し、その判断結果に基づき前記指示情報の要否を決定する決定部を備える。
【請求項７】
請求項１〜６のいずれか一項に記載の画像形成システムであって、
前記送信装置は、前記画像データをファクシミリ通信により前記画像形成装置に送信する構成であり、
前記通知部は、前記第１選択情報を、前記画像データを送信する前にファクシミリ通信能力を決定するための通信エリアを利用して前記画像形成装置に通知する。
【請求項８】
画像データを画像形成装置に送信する送信装置であって、
前記画像データに基づく画像を記憶部付き画像形成媒体上に形成し、且つ、記憶用データを前記記憶部付き画像形成媒体の記憶部に書き込むことを指示する指示情報と、前記画像形成装置が前記記憶用データを前記記憶部に書き込むことができない場合でも前記画像の形成を許可するかどうかの第１選択情報とを、前記画像形成装置に通知する通知部を備える送信装置。
【請求項９】
送信装置から画像データを受信し、当該画像データに基づく画像を、記憶部付き画像形成媒体上に形成する画像形成装置であって、
前記送信装置から、記憶部付き画像形成媒体の記憶部にデータを書き込むことができない場合には前記画像の形成を許可しない旨の選択情報を受けたときには、前記画像の形成を制限する制限部を備える画像形成装置。
【発明の詳細な説明】
【技術分野】
【０００１】
本発明は、画像形成システム、送信装置及び画像形成装置に関する。
【背景技術】
【０００２】
記憶部付き画像形成媒体（ＲＦＩＤ（Radio Frequency Identification）付き用紙など）が、例えばファクシミリ画像形成システムに利用されることがある。例えば、送信側のファクシミリ装置は、ＲＦＩＤ付き用紙上の画像、及び、そのＲＦＩＤ内の記憶内容を読み込んで、画像データ及びＲＦＩＤ用データとして受信側のファクシミリ装置へ送信する。一方、受信側のファクシミリ装置は、自己にセットされたＲＦＩＤ付き用紙上に、上記画像データに基づき画像を形成し、且つ、ＲＦＩＤ内にＲＦＩＤ用データを記憶する（特許文献１参照）。
【特許文献１】特開２００８−４７９６６公報
【発明の開示】
【発明が解決しようとする課題】
【０００３】
ところで、従来の構成では、例えばＲＦＩＤ付き用紙が受信側のファクシミリ装置にセットされていないなど、ＲＦＩＤ用データを正常に書き込むための条件を満たさない場合に、上記画像の形成を実行するかどうかは受信側のファクシミリ装置が有する機能や設定に依存しており、送信側では何ら関与することができず、利便性が低かった。
【０００４】
なお、このような問題が生じるのは、上記ファクシミリ画像形成システムに限られない。例えばパーソナルコンピュータなどの送信装置と画像形成装置とを備える画像形成システムなどでも同様の問題が生じ得る。
【０００５】
本発明は上記のような事情に基づいて完成されたものであって、その目的は、送信側での利便性向上を図ることが可能な画像形成システム、送信装置及び画像形成装置を提供するところにある。
【課題を解決するための手段】
【０００６】
（１）上記の目的を達成するための手段として、本発明に係る画像形成システムは、画像データを送信する送信装置と、前記画像データを受信し、当該画像データに基づく画像を画像形成媒体上に形成する画像形成装置と、を備える画像形成システムであって、前記送信装置は、前記画像を記憶部付き画像形成媒体上に形成し、且つ、記憶用データを前記記憶部付き画像形成媒体の記憶部に書き込むことを指示する指示情報と、前記画像形成装置が前記記憶用データを前記記憶部に書き込むことができない場合でも前記画像の形成を許可するかどうかの第１選択情報とを、前記画像形成装置に通知する通知部を備える。
【０００７】
このような構成によれば、受信側の画像形成装置で記憶部付き画像形成媒体の記憶部に記憶用データを書き込むことができない場合に画像の形成を許可するかどうかについて、送信側の意思が反映される。従って、送信側での利便性を向上させることができる。
【０００８】
（２）本発明の前記画像形成装置は、前記第１選択情報が前記画像の形成を許可しない旨を示す場合に、前記画像の形成を制限する制限部を備えるものとすることができる。
【０００９】
このような構成によれば、送信側のユーザが、画像形成装置で記憶用データを記憶部に書き込むことができない場合に画像の形成を許可したくないときに、画像がそのまま形成されてしまうことを抑制することができる。
【００１０】
（３）本発明の送信装置は、前記記憶用データを前記画像形成装置に送信するデータ送信部を備え、前記通知部は、前記画像形成装置が前記記憶用データを前記記憶部に書き込むことができない場合に、前記画像データ及び前記記憶用データの少なくとも一方を前記画像形成装置に破棄させるかどうかの第２選択情報を通知する構成とすることができる。
【００１１】
画像形成装置が記憶用データを記憶部に書き込むことができない場合に、画像データ及び記憶用データの少なくとも一方を画像形成装置に破棄させるかどうかについて、送信側の意思を反映させることができる。
【００１２】
（４）本発明は、前記画像形成装置が前記記憶用データを前記記憶部に書き込む機能を有する機種かどうかを判断し、当該機能を有しないと判断した場合には前記画像データの送信を禁止する送信制御部を備えるものとすることができる。
このような構成によれば、無駄な送信を抑制することができる。
【００１３】
（５）本発明の送信装置は、前記指示情報及び前記第１選択情報の少なくとも一方を、前記画像のページ単位で指定する指定部を備えるものとすることができる。
【００１４】
このような構成によれば、画像の各ページごとに、記憶部付き画像形成媒体の記憶部に記憶用データを書き込むかどうかや、その記憶用データを書き込むことができない場合に画像の形成を許すかどうかを指定可能とすることで、送信側の要求に柔軟に対応することができる。
【００１５】
（６）本発明の送信装置は、自己にセットされた原稿上に形成された画像を読み取って前記画像データを生成する画像読取部と、前記原稿が記憶部を有するかどうかを判断し、その判断結果に基づき前記指示情報の要否を決定する決定部を備えるものとすることができる。
このような構成によれば、ユーザによる指定作業を要することなく、指示情報の要否を自動で決定することができる。
【００１６】
（７）本発明の送信装置は、前記画像データをファクシミリ通信により前記画像形成装置に送信する構成であり、前記通知部は、前記第１選択情報を、前記画像データを送信する前にファクシミリ通信能力を決定するための通信エリアを利用して前記画像形成装置に通知するものとすることができる。
ファクシミリ通信において比較的に簡単な構成により本発明を実現することができる。
【００１７】
（８）本発明の送信装置は、画像データを画像形成装置に送信する送信装置であって、前記画像データに基づく画像を記憶部付き画像形成媒体上に形成し、且つ、記憶用データを前記記憶部付き画像形成媒体の記憶部に書き込むことを指示する指示情報と、前記画像形成装置が前記記憶用データを前記記憶部に書き込むことができない場合でも前記画像の形成を許可するかどうかの第１選択情報とを、前記画像形成装置に通知する通知部を備える。
【００１８】
（９）本発明の画像形成装置は、送信装置から画像データを受信し、当該画像データに基づく画像を、記憶部付き画像形成媒体上に形成する画像形成装置であって、前記送信装置から、記憶部付き画像形成媒体の記憶部にデータを書き込むことができない場合には前記画像の形成を許可しない旨の選択情報を受けたときには、前記画像の形成を制限する制限部を備える。
【発明の効果】
【００１９】
本発明によれば、受信側の画像形成装置で記憶部付き画像形成媒体の記憶部に記憶用データを書き込むことができない場合に、画像の形成を許可するかどうかについて、送信側の意思が反映されるため、送信側での利便性を向上させることができる。
【発明を実施するための最良の形態】
【００２０】
本発明の一実施形態について図を参照しつつ説明する。
（ファクシミリ通信システム）
図１は、ファクシミリ通信システム１（本発明の「画像形成システム」の一例）の全体構成を示すブロック図である。このファクシミリ通信システム１は、少なくともファクシミリ機能を有する２台の複合機３，５を含んで構成されている。なお、この２台の複合機３，５は、画像データ（ファクシミリデータ）を相互に送受信可能であるが、以下では説明を簡単にするために、複合機３から画像データを送信し、複合機５にて当該画像データに基づき画像形成（印刷）処理を行うものとする。以下、複合機３を「送信側複合機３（本発明の「送信装置」の一例）」といい、複合機５を「受信側複合機５（本発明の「画像形成装置」の一例）」ということがある。
【００２１】
複合機３，５は、少なくともファクシミリ機能を有していれば、ハード上の構成が互いに異なっていてもよい。但し、本実施形態では、説明を簡単にするために、両複合機３，５は、ファクシミリ機能の他、プリンタ機能、スキャナ機能、コピー機能等を備え、ハード上の基本構成が互いに共通するものとする。具体的には、複合機３，５は、ＣＰＵ７、ＲＯＭ９、ＲＡＭ１１、ＮＶＲＡＭ１３（不揮発性メモリ）、操作部１５、表示部１７、画像形成部１９、スキャナ部２１を備える。ＲＯＭ９には、後述するファクシミリ通信処理など、この複合機３，５の各種の動作を実行するためのプログラムが記憶されており、ＣＰＵ７は、ＲＯＭ９から読み出したプログラムに従って、その処理結果をＲＡＭ１１またはＮＶＲＡＭ１３に記憶させながら各部の制御を行う。操作部１５は、複数のボタンを備え、ユーザにより各種の入力操作が可能である。表示部１７は、液晶ディスプレイやランプ等を備え、各種の設定画面や装置の動作状態等を表示することが可能である。
【００２２】
また、複合機３，５は、ネットワークインターフェイス２３及びファクシミリインターフェース２５を備える。ネットワークインターフェイス２３は、ネットワーク回線を介して外部のコンピュータ（図示せず）等に接続され、これにより相互のデータ通信が可能となっている。ファクシミリインターフェース２５は、公衆電話網２７を介して他のファクシミリ装置に接続され、これにより相互のファクシミリ通信が可能となっている。
【００２３】
更に、複合機３，５は、原稿用のＲＦＩＤリーダ／ライタ２９、及び、シート材用のＲＦＩＤリーダ／ライタ３１を備える。これらについて後で詳述する。
【００２４】
（複合機の構成）
図２は、複合機３，５の内部構成の概要図である。複合機３，５の底部には、被画像形成用のシート材３３（例えば用紙など  本発明の「画像形成媒体」の一例）が収納される１又は複数のトレイ（本実施形態では例えば２つのトレイ３５，３７）が設けられている。なお、上記シート材３３には、ＲＦＩＤタグ３９付きのシート材（本発明の「記憶部付き画像形成媒体」の一例  以下、「ＲＦＩＤシート材３３Ａ」という）と、ＲＦＩＤタグが付いていない通常のシート材（以下、「通常シート材３３Ｂ」という）とが含まれる。なお、ＲＦＩＤシート材３３Ａには、ＲＦＩＤタグがシート材３３に埋設されたものや、ＲＦＩＤタグがシート材３３の表面に付着されたものなどがある。
【００２５】
これらのトレイ３５，３７に収納されたシート材３３は、ピックアップローラ４１によって１枚ずつ取り出されてレジストレーションローラ４３，４３へと搬送される。上述したＲＦＩＤリーダ／ライタ３１は、トレイ３５，３７とレジストレーションローラ４３，４３との間における搬送経路付近に設けられている。ＲＦＩＤリーダ／ライタ３１は、図示しないアンテナから電波を発することにより、搬送途中のＲＦＩＤシート材３３ＡのＲＦＩＤタグ３９との間でデータの無線通信（データの読み取り、書き込み）が可能になっている。従って、搬送中のシート材３３がＲＦＩＤシート材３３Ａであれば、ＲＦＩＤリーダ／ライタ３１は、ＲＦＩＤタグ３９との間でデータのやり取りを行うことができる。
【００２６】
レジストレーションローラ４３，４３は、搬送されてきたシート材３３の姿勢を整えつつ所定のタイミングで搬送ベルト４５上に送り出す。送り出されたシート材３３は、搬送ベルト４５によって搬送されつつ、画像形成部１９により、例えばファクシミリ通信により受信した画像データに基づく画像（モノクロ画像、カラー画像）が形成される。画像が形成されたシート材３３は、定着器の加熱ローラ４７及び押圧ローラ４９の間に挟まれつつ熱定着され、排出トレイ５１上へと排出される。
【００２７】
排出トレイ５１の上方には、原稿読取ユニット５３が設けられている。この原稿読取ユニット５３は、原稿５５がセットされる原稿トレイ５７が設けられている。原稿５５には、ＲＦＩＤシート材３３Ａの表面上に原稿画像が形成されたものと、通常シート材３３Ｂの表面上に原稿画像が形成されたものとが含まれる。原稿トレイ５７にセットされた原稿５５は、図示しない送り機構によってスキャナ部５９の読取領域内に搬送され、その後、原稿排出トレイ６１に排出される。スキャナ部５９（本発明の「画像読取部」の一例）は搬送中の原稿５５から原稿画像を読み取って画像データを生成し、ＣＰＵ７へと送信する。
【００２８】
前述の原稿用のＲＦＩＤリーダ／ライタ２９は、例えば原稿トレイ５７とスキャナ部５９の読取領域との間における搬送経路付近に設けられている。ＲＦＩＤリーダ／ライタ２９は、搬送中の原稿５５がＲＦＩＤシート材３３Ａであれば、そのＲＦＩＤタグ３９との間で無線通信によりデータのやり取りを行うことができる。
【００２９】
（ファクシミリ通信処理）
図３はファクシミリ通信の動作シーケンスを示す図であり、図４は送信側複合機３の処理を示すフローチャートであり、図５は受信側複合機５の処理を示すフローチャートである。この処理を実行することにより、受信側複合機５で、ＲＦＩＤシート材３３Ａが無いや、有るがそのＲＦＩＤシート材３３ＡのＲＦＩＤタグ３９が読み込み専用であるなど、ＲＦＩＤデータ（本発明の「記憶用データ」の一例）を書き込むことができない場合に、原稿画像の形成を許可するかどうかについて、送信側の意思を反映させることが可能になる。なお、各図中の括弧つき数字は、次述する各段階の番号を示す。
【００３０】
まず、送信側のユーザは、送信側複合機３の原稿トレイ５７上に複数頁の原稿５５をセットし、操作部１５でファクシミリ送信を指示する操作をする。なお、この複数頁の原稿５５には、ＲＦＩＤシート材３３Ａと通常シート材３３Ｂとが混在し得る。
【００３１】
また、ユーザは、受信側複合機５でＲＦＩＤデータを書き込むことができない場合に、原稿画像の形成を許可する許可モードか、許可しない不許可モードかの第１選択を操作部１５（本発明の「指定部」の一例）で設定することができる。
【００３２】
更に、ユーザは、受信側複合機５で、ＲＦＩＤデータを書き込むことができない場合に、送信側複合機３からの原稿画像データ及びＲＦＩＤデータを破棄する破棄モードか、受信側複合機５にて保存を許可する保存モードかの第２選択を操作部１５で設定することができる。本実施形態では、上記第１選択及び第２選択は、複数頁の原稿のページ単位で個別に行うことができる。送信側複合機３のＣＰＵ７は、これらの操作に基づき図４に示す処理が実行する。
【００３３】
（１）回線接続段階
回線接続段階では、送信側複合機３と受信側複合機５との間の回線を接続するための回線接続処理（図４のＳ１、図５のＳ３１）が実行される。具体的には、図３に示すように、送信側複合機３のＣＰＵ７が、ＣＮＧ（発呼）信号を、ファクシミリインターフェース２５を介して交換機（図示せず）に送信し、交換機が受信側複合機５を呼び出す。受信側複合機５のＣＰＵ７は、この呼び出しに対してＣＥＤ（応答）信号を、ファクシミリインターフェース２５を介して交換機に返信する。そして、通信準備段階（ネゴシエーション）に移行する。
【００３４】
（２）通信準備段階
通信準備段階では、送信側複合機３と受信側複合機５との間で実行するファクシミリ通信の通信能力決定処理（図４のＳ３、図５のＳ３３）を行う。具体的には、図３に示すように、受信側複合機５のＣＰＵ７は、ＮＳＦ信号、ＣＳＩ信号、ＤＩＳ信号を送信側複合機３に送信する。ＮＳＦ信号は、非標準機能識別信号であり、独自の通信能力（例えば通信方式や通信速度）、その他の情報を自由に設定することができる。ＣＳＩ信号は被呼端末識別信号であり、ＤＩＳ信号は、予め定められた標準規格のなかで受信側複合機５が対応可能な通信能力を通知するためのデジタル命令信号である。本実施形態では、例えばＮＳＦ信号に、受信側複合機５が、ＲＦＩＤシート材３３ＡのＲＦＩＤタグ３９にデータの書き込みが可能な機種（ＲＦＩＤ対応機種）であるかどうかの機種情報が設定されている。
【００３５】
これに対して、送信側複合機３のＣＰＵ７は、Ｓ３で、上記ＤＩＳ信号に基づき、受信側複合機５が対応可能な通信能力のなかから今回使用する通信能力を決定する。そして、決定した通信能力を受信側複合機５に返信する。具体的には、図３に示すように、ＮＳＳ信号、ＴＳＩ信号、ＤＣＳ信号、ＴＣＦ信号を受信側複合機５に返信する。
【００３６】
ＮＳＳ信号は非標準機能識別信号であり、ＴＳＩ信号は送信端末識別信号であり、ＤＣＳ信号は、送信側で決定した通信能力を通知するためのデジタル命令信号である。ＴＣＦ信号はトレーニング信号であり、受信側複合機５のＣＰＵ７は、このＴＣＦ信号を受信すると、正常に受信したことを通知するためのＣＦＲ信号を送信側複合機３に送信する。これにより、通信能力が確定し、原稿画像読取段階に移行する。
【００３７】
（３）原稿画像読取段階
送信側複合機３のＣＰＵ７は、Ｓ５で、原稿トレイ５７上にセットされた複数頁の原稿５５から１頁分の原稿を、スキャナ部２１の読取領域に送りつつ、当該スキャナ部２１にて生成された原稿画像データを取得し、例えばＮＶＲＡＭ１３のバッファ領域に一時的に格納する。また、上記１頁分の原稿がＲＦＩＤシート材３３Ａであれば、ＲＦＩＤリーダ／ライタ２９を利用して、そのＲＦＩＤタグ３９内に書き込まれたＲＦＩＤデータを読み取って、例えば上記バッファ領域に一時的に格納する。なお、このＲＦＩＤデータの内容には、たとえば、上記原稿であるＲＦＩＤシート材３３Ａを識別するための固有情報（シリアル番号など）、機密情報、送信者の識別情報、送信対象者の識別情報などが含まれる。
【００３８】
そして、ＲＦＩＤリーダ／ライタ２９によるＲＦＩＤデータの読み取りの可否により、上記原稿がＲＦＩＤシート材３３Ａであるかどうかを判断する。この判断結果に基づき、受信側複合機５にて上記原稿画像を形成するＲＦＩＤシート材３３ＡのＲＦＩＤタグ３９に、ＲＦＩＤデータを書き込むことを指示するための指示情報の要否を決定する。このとき送信側複合機３のＣＰＵ７は、本発明の「決定部」として機能する。
【００３９】
具体的には、原稿がＲＦＩＤシート材３３Ａであれば（Ｓ７：ＹＥＳ）、上記指示情報が必要であると仮決定し、Ｓ９で、上記通信準備段階で受信した機種情報に基づき、受信側複合機５がＲＦＩＤ対応機種であるかどうかを判断する。ＲＦＩＤ対応機種であれば（Ｓ９：ＹＥＳ）、指示情報が必要であると本決定をし、Ｓ１１に進み、原稿画像送受信段階に移行する。これに対して、Ｓ７で、上記１頁分の原稿が通常シート材３３Ｂであれば（Ｓ７：ＮＯ）、上記指示情報は不要であるとして、Ｓ２３に進み原稿画像送受信段階に移行する。
【００４０】
Ｓ９で、受信側複合機５がＲＦＩＤ対応機種でなければ（Ｓ９：ＮＯ）、上記仮決定を取り消して、Ｓ２５で、上記原稿画像データ及びＲＦＩＤデータの送信を禁止する。具体的には、原稿画像データ及びＲＦＩＤデータを上記バッファ領域から破棄し、Ｓ１３に進む。このとき送信側複合機３のＣＰＵ７は本発明の「送信制御部」として機能する。
【００４１】
（４）原稿画像送受信段階
送信側複合機３のＣＰＵ７は、上記指示情報が必要であると本決定した場合には（Ｓ９：ＹＥＳ）、Ｓ１１で、上記原稿画像データ、ＲＦＩＤデータ、第１選択情報、第２選択情報を受信側複合機５に送信（通知）する。具体的には、図３に示すように、原稿画像データ、ＲＦＩＤデータ、第１選択情報、第２選択情報が含まれるデータ信号、そのデータ信号の終了を示すＥＯＰ信号を受信側複合機５に送信し、Ｓ１３に進む。このとき送信側複合機３のＣＰＵ７は本発明の「通知部、データ送信部」として機能する。また、上記ＲＦＩＤデータが、受信側複合機５にてＲＦＩＤデータを書き込むことを指示するための指示情報を兼ねている。
【００４２】
なお、Ｓ７で、原稿が通常シート材３３Ｂであると判断された場合には（ＮＯ）、Ｓ２３で原稿画像データだけを送信し、Ｓ１３に進む。Ｓ１３では、未だ画像を読み取っていない頁の原稿があれば（Ｓ１３：ＹＥＳ）、Ｓ５に戻り、全頁の原稿の画像読み取りが終了していれば（Ｓ１３：ＮＯ）、Ｓ２１に進み回線切断段階に移行する。
【００４３】
（５）回線切断段階
回線切断段階では、受信側複合機５のＣＰＵ７が、Ｓ３５で上記データ信号を正常に受信したことを確認すると、図３に示すように、Ｓ３７でＭＣＦ信号を送信側複合機３に返信する。これに対し、送信側複合機３のＣＰＵ７は、上記ＭＣＦ信号を受信したことを確認すると、Ｓ２１で、ＭＣＥ信号を送信する。これに対して、受信側複合機５がＤＣＮ信号を返信することで回線が切断され、本ファクシミリ通信処理について送信側の処理が終了する。
【００４４】
（６）原稿画像処理段階
原稿画像処理段階では、受信側複合機５のＣＰＵ７は、送信側複合機３からのＲＦＩＤデータの有無、第１選択情報、第２選択情報の内容に応じた処理を実行する。まずＳ３９でＲＦＩＤデータを受信したかを判断し、受信していれば（Ｓ３９：ＹＥＳ）、当該ＲＦＩＤデータを書き込む指示を送信側複合機３から受けたとみなし、Ｓ４１に進む。なお、ＲＦＩＤデータを受信していなければ（Ｓ３９：ＮＯ）、Ｓ６１で、受信側複合機５にセットされたシート材３３に、受信した原稿画像データに基づき原稿画像を形成し、本ファクシミリ通信処理が終了する。
【００４５】
Ａ．ＲＦＩＤデータを正常に書き込むことができる場合
Ｓ４１では、ＲＦＩＤシート材３３Ａが受信側複合機５のトレイ３５，３７のいずれかにセットされているかどうかを判断し、セットされていれば（ＹＥＳ）、そのＲＦＩＤシート材３３Ａをレジストレーションローラ４３に向けて搬送しつつ、ＲＦＩＤリーダ／ライタ３１を利用して、そのＲＦＩＤタグ３９に上記ＲＦＩＤデータの書き込みを試みる。
【００４６】
搬送中のＲＦＩＤシート材３３ＡにＲＦＩＤデータを正常に書き込むことができた場合には（Ｓ４５：ＹＥＳ）、Ｓ４７で、当該ＲＦＩＤシート材３３Ａをレジストレーションローラ４３により画像形成部１９へと送り出させて、上記原稿画像データに基づき原稿画像を形成し、本ファクシミリ通信処理が終了する。これにより、送信側複合機３から送信された原稿画像が表面に形成され、且つ、ＲＦＩＤデータがＲＦＩＤタグに書き込まれたＲＦＩＤシート材３３Ａが完成する。
【００４７】
Ｂ．ＲＦＩＤデータを正常に書き込むことができない場合
Ｓ４１で、ＲＦＩＤシート材３３Ａがトレイ３５，３７のいずれにもセットされていない場合（Ｓ４１：ＮＯ）にはＳ４９に進む。また、Ｓ４５で、ＲＦＩＤシート材３３Ａはセットされていたが、そのＲＦＩＤタグ３９にＲＦＩＤデータを正常に書き込むことができない場合もＳ４９に進む。ＲＦＩＤデータを正常に書き込むことができない例としては、ＲＦＩＤタグ３９が書込み不可であったり、書込み可能であるがデータ容量不足などが原因で書込みエラーが生じたりすることが挙げられる。
【００４８】
Ｓ４９では、ＲＦＩＤデータを正常に書き込むことができない場合でも上記原稿画像データの画像処理を行うことを許可されているかどうかを判断する。具体的には、上記第１選択情報に基づき送信側複合機３にて許可モードと不許可モードのいずれが選択されたかを確認する。許可されていれば（Ｓ４９：ＹＥＳ）、Ｓ５７でトレイ３５，３７に、現在レジストレーションローラ４３，４３によって保持されているシート材３３が上記原稿画像に適した種類（サイズや材質など）であるかどうかを判断する。なお、この判断は、例えば、トレイごとの設定情報や図示しないセンサの検出結果に基づき行うことができる。
【００４９】
上記シート材３３が原稿画像に適した種類であれば（Ｓ５７：ＹＥＳ）、Ｓ５９で、そのシート材３３を画像形成部１９に搬送し、上記原稿画像データに基づき原稿画像を形成し、また、上記ＲＦＩＤデータを破棄し、本ファクシミリ通信処理が終了する。
【００５０】
Ｓ４９で、原稿画像データの画像処理を行うことが許可されていないと判断された場合には（Ｓ４９：ＮＯ）、Ｓ５１で、原稿画像データ及びＲＦＩＤデータを破棄することが指示されているかどうかを判断する。具体的には、上記第２選択情報に基づき送信側複合機３にて破棄モードと保存モードのいずれが選択されたかを確認する。なお、Ｓ５７で、原稿画像に適した種類のシート材３３がセットされていない場合（Ｓ５７：ＮＯ）も、Ｓ５１に進む。
【００５１】
Ｓ５１で、破棄が指示されていると判断された場合には（ＹＥＳ）、Ｓ５３で原稿画像データ及びＲＦＩＤデータの少なくとも一方を破棄し、レジストレーションローラ４３，４３に保持されたシート材３３を、画像形成せずに排出トレイ５１上に排出し、本ファクシミリ通信処理が終了する。なお、両データとも内容が重要な場合には両データを破棄することが好ましい。破棄すれば送信側の意思に反して受信側複合機５にてそれらのデータが出力されることを防止できるからである。このとき受信側複合機５のＣＰＵ７は本発明の「制限部」として機能する。
【００５２】
Ｓ５１で、破棄が指示されていないと判断された場合には（ＮＯ）、原稿画像データ及びＲＦＩＤデータを破棄せずに例えばＮＶＲＡＭ１３に保存し、レジストレーションローラ４３，４３に保持されたシート材３３を、画像形成せずに排出トレイ５１上に排出し、本ファクシミリ通信処理が終了する。これにより、少なくともＲＦＩＤデータを書き込み可能とする要件を満たした場合、例えば適切なＲＦＩＤシート材３３Ａが受信側複合機５にセットされた場合に、当該ＲＦＩＤシート材３３ＡへのＲＦＩＤデータの書き込みと原稿画像の形成が可能になる。
【００５３】
（本実施形態の効果）
（１）本実施形態によれば、送信側複合機３のＣＰＵ７は、受信側複合機５でＲＦＩＤデータの書き込みができない場合に原稿画像の形成を許すかどうかの第１選択情報を送信する。そして、受信側複合機５は、それの第１選択情報の内容に基づき原稿画像を形成するかどうかを決める。従って、送信側の意思が反映され、送信側での利便性を向上させることができる。
【００５４】
また、これにより、送信側のユーザが、受信側複合機５でＲＦＩＤデータの書き込みが可能な場合に限り[0]原稿画像を形成することを許可したいときに、そのユーザの意思に反して原稿画像がそのまま形成されてしまうことを抑制することができる。
【００５５】
（２）送信側複合機３のＣＰＵ７は、受信側複合機５でＲＦＩＤデータの書き込みができない場合に、原稿画像データ及びＲＦＩＤデータの少なくとも一方を破棄させるかどうかの第２選択情報を送信する。そして、受信側複合機５は、それの第２選択情報の内容に基づき上記データを破棄するかどうかを決める。従って、送信側の意思が反映され、送信側での利便性を向上させることができる。
【００５６】
（３）また、上記第１選択及び第２選択は、複数頁の原稿のページ単位で個別に行うことができる。従って、原稿にＲＦＩＤシート材３３Ａと通常シート材３３Ｂとが混在する場合であっても、個々の頁ごとに送信側の意思を反映させることができる。
【００５７】
（４）受信側複合機５がＲＦＩＤ対応機種でなければ（Ｓ９：ＮＯ）、少なくともＲＦＩＤデータを送信する意味がない。そこで、この場合、上記原稿画像データ及びＲＦＩＤデータの送信を禁止することで、無駄なデータ送信を抑制することができる。
【００５８】
（５）送信側複合機３のＣＰＵ７は、上記原稿がＲＦＩＤシート材３３Ａであるかどうかを判断し、この判断結果に基づき、受信側複合機５にて上記原稿画像を形成するＲＦＩＤシート材３３ＡのＲＦＩＤタグ３９に、ＲＦＩＤデータを書き込むことを指示するための指示情報の要否を決定する。これにより、ユーザによる指定作業を要することなく、指示情報の要否を自動で決定することができる。
【００５９】
＜他の実施形態＞
本発明は上記記述及び図面によって説明した実施形態に限定されるものではなく、例えば次のような種々の態様も本発明の技術的範囲に含まれる。特に、各実施形態の構成要素のうち、最上位の発明の構成要素以外の構成要素は、付加的な要素なので適宜省略可能である。
【００６０】
（１）上記実施形態では、ファクシミリ通信システム１を例に挙げて説明したが、これに限らず、送信装置（例えばパーソナルコンピュータなど）と、少なくともプリンタ機能を有する画像形成装置とからなるＰＣ印刷システムなどであってもよい。
【００６１】
（２）上記実施形態では、第１選択及び第２選択をユーザによる操作によって行う構成としたが、本発明の「指定部」はこれに限られない。例えば、ＲＦＩＤリーダ／ライタ２９によって読み取った情報に応じて第１選択情報、第２選択情報を自動で決めてもよい。具体的には、上記情報が、所定の禁止条件（親展等の用語を含む、特定者の識別情報を含む、など）を満たす場合には、不許可モード、破棄モードを選択する。
【００６２】
（３）上記実施形態では、図４のＳ７からＳ１１、Ｓ２３、Ｓ２５の処理を、原稿を1頁ずつ読み取るごとに繰り返し実行する構成としたが、本発明はこれに限られない。全頁の原稿画像を読み取った後に、当該全頁の原稿画像まとめて上記処理を実行するようにしてもよい。この場合、受信側複合機５がＲＦＩＤ対応機種でない場合には（Ｓ９：ＮＯ）、全頁の原稿画像データ及びＲＦＩＤデータの送信が禁止される。
【００６３】
また、この場合、図４において回線接続処理（Ｓ１）の前に、全頁の原稿読取（Ｓ５参照）を実行し、通信能力決定処理（Ｓ３）において、上記第１選択情報及び第２選択情報を例えばＮＳＳ信号（本発明の「通信エリア」の一例）に設定して送信するようにしてもよい。このように、通信準備段階にて通信能力を決定するための通信エリアを利用することによって効率よく第１選択情報等を受信側複合機５に送信することができる。
【００６４】
（４）上記実施形態では、ＲＦＩＤリーダ／ライタ３１がトレイ３５，３７とレジストレーションローラ４３との間の搬送経路付近に設けられていたが、本発明はこれに限られない。例えば、各トレイ３５，３７付近にＲＦＩＤリーダ／ライタ３１をそれぞれ設けて、トレイ３５，３７に収納された状態でＲＦＩＤデータの書き込みを試みるようにしてもよい。この構成であれば、シート材３３をトレイ３５，３７から搬送開始する前に、当該シート材３３がＲＦＩＤシート材３３Ａであるかどうかを判断できる。また、この判断は、ＲＦＩＤリーダ／ライタ３１以外に、他のセンサを利用して行ってもよい。例えば光学センサによってＲＦＩＤタグ部分の有無（膨らみの有無など）による反射光量変化を利用したり、磁気センサによってＲＦＩＤタグの有無による磁界変化を利用したりしてもよい。
【００６５】
（５）上記実施形態では受信側複合機５にてＲＦＩＤシート材３３ＡのＲＦＩＤタグに書き込むべき記憶用データは、送信側複合機３から送信するＲＦＩＤデータとしたが、本発明はこれに限られない。送信側複合機３からＲＦＩＤデータを書き込むことを指示するための指示情報（ＲＦＩＤデータそのものではない）を受けた場合に、受信側複合機５が自己で管理する管理データをＲＦＩＤタグに書き込むようにしてもよい。この管理データには、たとえば、各ＲＦＩＤシート材３３Ａを識別するための固有情報、送信側複合機３から得た送信情報（送信者識別情報など）に基づき生成した情報など、追跡・照合が可能な情報などが含まれる。
【００６６】
（６）上記実施形態では、不許可モードが選択された場合には、受信側複合機５にて原稿画像データを破棄して画像形成を完全に禁止したが、本発明の「制限部」はこれに限られない。原稿画像をそのまま形成することを制限すればよく、例えば、画質を低下させて形成させたり、一部分のみ画像形成したりするようにしてもよい。
【図面の簡単な説明】
【００６７】
【図１】本発明の一実施形態に係るファクシミリ通信システムの全体構成を示すブロック図
【図２】複合機の内部構成の概要図
【図３】ファクシミリ通信の動作シーケンスを示す図
【図４】送信側複合機の処理を示すフローチャート
【図５】受信側複合機の処理を示すフローチャート
【符号の説明】
【００６８】
１...ファクシミリ通信システム（画像形成システム）
３...送信側複合機（送信装置）
５...受信側複合機（画像形成装置）
７...送信側複合機のＣＰＵ（決定部、送信制御部、通知部、データ送信部）
７...受信側複合機のＣＰＵ（制限部）
１５...操作部（指定部）
２１...スキャナ部（画像読取部）
３３...シート材（画像形成媒体）
３３Ａ...ＲＦＩＤシート材（記憶部付き画像形成媒体）
３９...ＲＦＩＤタグ（記憶部）
【図１】
2010109804.tif 000003
【図２】
2010109804.tif 000004
【図３】
2010109804.tif 000005
【図４】
2010109804.tif 000006
【図５】
2010109804.tif 000007